(57)【要約】【課題】リン化アルミニューム剤を使用して、くん蒸処理の後に残るくん蒸残渣を安全且つ、容易に運搬し、最終処分される ことができる運搬袋と 真空装置を提供することである。【解決手段】くん蒸剤の残渣を運搬するための容器は、残渣１を収容する非通気性の運搬袋２であって、開閉部３を有し、開閉部３は、開閉部品５を、スライドさせることにより閉じると内部との空気の流通を遮断できる密閉構造４を備え、逆流防止弁付吸引口６を有する。運搬袋を真空にするための装置は、運搬袋２の逆流防止弁付吸引口６と除毒管10を連結する接続ホース７、複数の運搬袋を連結するための吸引弁８の付いた連結管8、除毒用活性炭16を内蔵し、運搬袋２内を、 吸引する空気中のリン化水素を除毒する除毒管10、除毒管10と真空計１1を連結する接続ホース７、真空計１１、圧力スイッチ１2を備えた真空ポンプ１3で構成される装置である。【選択図】図１
2016094202.tif 000002
【特許請求の範囲】
【請求項１】
くん蒸剤の残渣を運搬するための非通気性の運搬袋2であって、残渣１を出し入れする開閉部3を有し、開閉部3は、開閉部品5を、スライドさせることにより閉じると内部との空気の流通を遮断できる密閉構造4を備え、運搬袋内を空気を吸引するための逆流防止弁付吸引口を有するくん蒸剤の残渣運搬袋。
【請求項２】
前記運搬袋2は、非通気性で焼却可能な材質で形成されるもであり、くん蒸剤残渣を収容したまま、直接高熱燃焼炉で処分することが可能であることを特徴とする請求項１のくん蒸剤の残渣運搬袋。
【請求項３】
くん蒸剤残渣１を収容した運搬袋2内の空気を真空装置により吸引し、運搬袋2内を真空にすることにより、運搬袋2内の水分を除去し、くん蒸剤残渣1に残るリン化アルミニューム剤と水分との反応を抑制することにより、リン化水素の発生を防止することを特徴とする請求項１の運搬袋2と真空装置による運搬方法。
【請求項４】
真空装置は、運搬袋2内の空気を吸引するための真空ポンプ13、真空度を表示する真空計11、真空度を維持コントロールするための圧力スイッチ12による真空ポンプ13の制御システム、くん蒸剤残渣を収容した運搬袋2内に発生したリン化水素ガスを含む空気を吸引し、空気中のリン化水素ガスを吸着し、触媒作用で無害化する活性炭１６を内蔵した除毒管１０、複数の運搬袋2に連結するための吸引弁８の付いた連結管９、それぞれの機器を連結する接続ホース7で構成される真空装置。
【発明の詳細な説明】
【技術分野】
【０００１】
本発明は、穀物、青果物等の害虫駆除を目的として行われるリン化アルミニューム剤くん蒸処理の後に残存するリン化アルミニュームくん蒸剤残渣の運搬をするための運搬袋に関し、より詳しくは、くん蒸処理の後のリン化アルミニューム剤の未分解成分を含むくん蒸剤残渣を水処理や、焼却処分する処理場所へ安全に運搬する手段と、水処理行わず、直接高熱焼却炉で焼却処分が可能な運搬袋と運搬袋内を真空にする真空装置で構成される運搬方法に関する。
【背景技術】
【０００２】
米、小麦等の穀物類、柑橘類、葉タバコ、コーヒー豆、漢方薬原料などに付着する害虫を駆除するために、くん蒸処理する薬剤は、リン化アルミニューム剤が用いられる。この薬剤は、次の反応式で表わされるように、空気中の水分と反応して、リン化水素ガスを発生する。AlP+3H２O→PH3+Al(OH) この分解反応は大気温度及び湿度に大きく影響され、くん蒸時間は、夏季において２〜３日、冬季において６〜７日であるがこのくん蒸時間が経過しても 、リン化アルミニュームくん蒸剤が完全分解せず、くん蒸処理の後に未分解のリン化アルミニューム剤を含むくん蒸剤残渣（主に、水酸化アルミニューム）が残る。くん蒸剤残渣は、通常、特定の処理場所に運搬され加水分解処理を施し、その後焼却処分される。
【先行技術文献】
【特許文献】
【０００３】
【特許文献１】リン化アルミニューム剤は、毒物劇物取締法にて特定毒物に指定されており、発生するリン化水素は、濃度が空気中で1,8%以上で発火する危険な物質である。特許公開2000-178103は、くん蒸剤の残渣を運搬するための容器であって、本体ケース、上蓋及び通気口カバーを有し、残渣を収容した残渣ケースを収容する収容室を備えている。収容室は、吸収剤層及び通気口を介し、本体ケースと外部連通可能にして、収容室にて発生するリン化水素ガスを、吸収剤にて除去することにより、収容室内の濃度を低く抑えて運搬する容器である。
【非特許文献】
【０００４】
【非特許文献１】これまでは、くん蒸剤リン化アルミニューム剤の取扱い説明書によれば、くん蒸剤残渣であるアルミニューム剤を含む残渣を倉庫、サイロ等のくん蒸場所から回収して、水処理を行い、そののち土中に埋めるか、焼却廃棄するよう指示されている。くん蒸剤残渣をくん蒸場所から水処理を行う場所まで、運搬する容器で、度々運搬中の車両で密閉したための爆発事故や、開放状態で運搬するため飛散、ガス被ばくの恐れがあり危険であった。くん蒸剤リン化アルミニューム剤は、概ね２形態にてくん蒸に用いられている。１形態は、通気性、非通水性の小袋入り顆粒状のリン化アルミニューム剤（テイベツク：商品名, ドイツ  Detia Degesch GmbH 社製）で１袋４５ｇで１０袋連結されている。他の１形態のリン化アルミニューム剤は錠剤型に形成されたものである。よって、リン化アルミニューム剤残渣は、粉状物の状態で通気性、非通水性の袋の中に入ったまま、回収される残渣と、微粉状物として回収される残渣に大別される。水処理される小袋に入ったリン化アルミニューム剤残渣は、小刀等で小袋を切り開き、振り落す開封作業が行われる。また、錠剤タイプのリン化アルミニューム剤は、概ね１ｋｇ単位で蒸散皿、新聞紙、クラフト紙上に並べて使用され、残渣は、蒸散皿、新聞紙、クラフト紙上から別途容器に、微粉状で回収され、水槽やミキサーにおいて水処理を行っている。水処理の目的は、残留リン化アルミニューム剤の分解促進による安全性の向上と微粉物の含水による飛散防止である。しかしながら、残渣に含まれる未分解リン化アルミニューム剤は２〜3％程度であり、水処理の後でも残渣中に未分解アルミニューム剤が0.１〜0,2％程度残留し,完全分解できないのである。一般的に水処理中は、高濃度のリン化水素が発生して、環境汚染やガス被ばくの恐れがあり、なお、水処理されたくん蒸剤残渣からは、リン化水素が微量ながら常に発生し続けているのである。 近来水処理されたくん蒸剤残渣は、通気性のある袋に詰め、産業廃棄物として高熱燃焼炉で焼却処分されている。
【発明の概要】
【発明が解決しようとする課題】
【０００５】
本発明の目的は、上記の問題を解決し、くん蒸処理の後に残るリン化アルミニューム剤残渣を安全且つ、容易に運搬し、焼却処分される ことができる運搬袋と 真空装置を提供することである。本発明の他の目的は、運搬袋は、非通気性で、可燃性のため、リン化アルミニューム剤残渣を収容したまま焼却可能である。よって、水処理の工程を経ず、直接高熱焼却炉まで運搬し、焼却処分ができることである。本発明の別の目的は、残渣を収容した運搬袋内を真空装置により、運搬袋内の空気を抜き、且つ残留水分の気化吸引を行い、リン化アルミニュームと水分の反応を停止させ、リン化水素の発生を抑制することである。本発明の更なる目的は、残渣を収容する運搬袋は、大小多種に製作可能で需要に合わせ安価に提供でき、且つ、軽量であり運搬上の利便性が大きいのである。本発明の目的、その他の目的は、以下の説明において明らかにされる。    
【課題を解決するための手段】
【０００６】
本発明のくん蒸剤の残渣を運搬するための容器は、残渣１を収容する非通気性の運搬袋２であって、開閉部３を有し、開閉部３は、開閉部品５を、スライドさせることにより閉じると内部との空気の流通を遮断できる密閉構造４を備え、逆流防止弁付吸引口６を有する。運搬袋を真空にするための装置は、運搬袋２の逆流防止弁付吸引口６と除毒管10を連結する接続ホース７、複数の運搬袋を連結するための吸引弁８の付いた連結管8、除毒用活性炭16を内蔵し、運搬袋２内を、 吸引する空気中のリン化水素を除毒する除毒管10、除毒管10と真空計１1を連結する接続ホース７、真空計１１、圧力スイッチ１2を備えた真空ポンプ１3で構成される真空装置である。
【発明の効果】
【０００７】
リン化アルミニューム剤を用いてくん蒸処理の後に残る未分解くん蒸剤を含有する残渣は、爆発性を有する毒性の強いリン化水素を発生するため、くん蒸残渣をくん蒸処理の場所から残渣処理を行う残渣処理プラントへ運搬する運搬作業、及びくん蒸残渣の水処理作業は、高濃度のリン化水素が発生して危険を伴うものであったが、本発明の運搬袋２と真空装置は、くん蒸剤残渣を収容した運搬袋２内の空気を抜き真空にすることにより、残留水分を気化吸引することにより、リン化アルミニューム剤と水分の反応を停止させ、リン化水素の発生を抑制することで、リン化水素が外部に漏えいせず、また運搬袋２内が爆発するようなこともなく、安全に運搬が可能である。本発明の運搬袋２は、簡単な構造を有するもので、大小多種に製作可能で需要に合わせ使い分けができるため、製造コストは極めて小さく、且つ、軽量で取扱いが容易であり、運搬作業が軽減される。本発明の運搬袋２は、焼却可能な材質であり、くん蒸剤残渣を収容したまま水処理作業を行わず、直接高熱燃焼炉で処分することが可能であるため、水処理設備を必要とせず、水処理作業中のリン化水素暴露被害や、環境汚染を起こす恐れもなく、安全且つ経済的である。
【図面の簡単な説明】
【０００８】
【図１】本発明のくん蒸剤運搬袋と真空装置の実施例を示す概略図面
【図２】本発明の運搬袋吸引口の概略立断面図。
【図３】本発明の除毒管の概略立断面図。
【発明を実施するための形態】
【０００９】
図面を参照し、本発明の実施形態を説明する。図ー1は、本発明のくん蒸剤残渣１の運搬袋２と運搬袋2を真空にするための真空装置の実施例を示す概略図である。図ー2は、本発明のくん蒸剤残渣運搬袋２の逆止弁付吸引口６の概略断面図、図ー3は、本発明の除毒管１０の概略断面図を示す。本発明の実施例では、図ー1、図ー2で示すように、くん蒸剤残渣１を収容する運搬袋２は、ナイロン/ポリエチレン製である。運搬袋2は、四角形で、三辺は、溶着密閉され、１辺にくん蒸残渣を出し入れする開閉部３を有し、開閉部３は、開閉部品５を、スライドさせることにより閉じると内部との空気の流通を遮断できる密閉構造４を備え、運搬袋２内を真空にするための逆流防止弁付吸引口６を取り付ける。本発明の実施例では、逆流防止弁付吸引口６は、ポリエチレン製であり、真空の運搬袋２への空気の逆流を防止する逆流防止弁２２は、ポリウレタン製を使用した。くん蒸残渣を収容した運搬袋２の逆流防止弁付吸引口６の断面形状を示す。吸引口６は運搬袋２の中央部上面に吸引口上部２０と複数の吸引穴２４、逆流防止弁２２を持った吸引口下部２１によって、運搬袋２シートを溶着剤と共に挟み込み密封し固定されてる。逆流防止弁２２は、密着性のある材質で成形された弁膜であり、吸引口６から運搬袋２内の空気を吸引し、運搬袋２が真空状態に到達した後、接続ホース７と切り離す場合や、真空ポンプ１３側に、空気が流入した場合でも運搬袋２内への逆流を防止する。運搬袋２は、運搬中または一時保管中は、接続ホース７と連結し、真空装置により真空状態を維持管理されが、水処理プラントや高熱焼却炉で焼却処分するとき、接続ホース７と切り離される。吸引口下部２１は、真空ポンプ１３の運転時、吸引穴２４とくん蒸剤残渣１と運搬袋２のシート面が密着するため空間部２０を備え、複数の吸引穴２４を有することにより、空気吸引を容易にする機能がある。図ー3は、くん蒸剤残渣１を収容した運搬袋２内に発生したリン化水素ガスを含む空気を真空装置で吸引し除毒するため、リン化水素ガスを吸着し、触媒作用で無害化する活性炭１６を内蔵する除毒管１０の断面形状を示す。除毒管１０は、開閉可能な密閉性のある容器で、リン化水素を無害化する除毒活性炭16を５００ｇ内臓する。この活性炭は、空気中のリン化水素ガスを吸着し、リン化合物に変え、無害化する触媒作用のある性質を備えている。本実施例では、米国ペンシルバニア州ピッツバークのカルゴン・カーボン社製「センタウ（CENTAUR,商品名）」を使用している。除毒管１０は、粉粒状の活性炭１６を保持するための吸引空気入り口側と出口側にステンレス金網１４とフィルター１５を備えている。本発明の実施例では、除毒管１０の除毒管本体１９、ノズル付両端フランジ１７は、リン化水素を吸着除毒後に生成されるリン化合物の腐食性を考慮し、ステンレス鋼を使用、ねじ込み構造とし、気密のためノズル付両端フランジ１７と除毒管本体１９の圧着部にネオプレーン製Oリング１８を用いた。フィルター１５は、活性炭１６微粒子の流出防止と不燃性のため、グラスウールを使用した。
【実施例】
【００１０】
図ー１、図ー２、図ー３で示す、運搬袋２と運搬袋２内を真空にせしめ真空度を維持する真空ポンプ装置を使用して、くん蒸処理の後に残るリン化アルミニューム剤くん蒸剤残渣をくん蒸場所から水処理プラントや直接焼却処分する高熱燃焼炉まで運搬する作業は次のように行われる。くん蒸場所で取り出されるくん蒸剤リン化アルミニューム剤は、概ね２形態である。１形態は、通気性、非通水性の小袋入り顆粒状のリン化アルミニューム剤（テイベツク：商品名, ドイツ  Detia Degesch GmbH 社製）で１袋４５ｇ入り１０袋を連結し、吊るしたり穀物上に置い状態で使用たされている。他の１形態のリン化アルミニューム剤は、通常使用されている錠剤型に形成されたリン化アルミニューム剤は、概ね１投薬箇所で１Kg単位で蒸散皿、新聞紙、クラフト紙の上に並べられ使用される。リン化アルミニューム剤は、くん蒸処理の後に同重量の残渣が残る。よって、リン化アルミニューム剤残渣は、前記の粉状物の状態で通気性、非通水性の小袋の中に入ったまま回収される１連１０袋で、４５０ｇの残渣と、後記のリン化アルミニューム錠剤型は、微粉状物概ね１Kg毎に回収される。本発明の実施例として、運搬袋２は、１枚で５Kg収容できるものとした。１連１０袋で回収される残渣は、５連５０袋４．５Kgの残渣を運搬袋２に収容した。リン化アルミニューム錠剤型の粉状物残渣は、5Kg詰めの綿製小袋に回収して、運搬袋２に収容した。次に、運搬袋２を真空にする操作方法を手順に従い示す。吸引弁８を閉じ、真空ポンプ１３を運転し、除毒管１０、連結管９を真空状態にする。使用する運搬袋２を複数用意し、接続ホース７にそれぞれ連結する。小袋入りで回収されるくん蒸剤残渣を、運搬袋２の開閉部３より入れ開閉部品５をスライドさせ、密閉構造４を密着させる。吸引弁８を開放して、運搬袋２内の空気を吸引し、吸引された空気は、連結ホース７、連結管９を経て、除毒管１０に入る。除毒管10は、吸引した空気内に含むリン化水素ガスを活性炭１６に吸着し、その活性炭１６の触媒作用により、リン酸化合物に変え無害化され活性炭１６に残留する。リン化水素ガスを除かれた空気は、接続ホースで真空計１１、圧力スイッチ１２を備えた真空ポンプ１３により吸引され、真空ポンプ13の排気口より大気に放出される。複数の運搬袋２を使用する場合は、この作業を繰り返し運搬作業の準備が完了する。それぞれの運搬袋２は、絶対真空度1KPa以下を維持し、くん蒸処理場所から水処理プラントや直接焼却処分する高熱焼却炉まで自動車等に積載し運搬することができる。また、一時保管する場合は、同様に運搬袋２内の絶対真空度1KPa以下を維持することにより可能である。  
【産業上の利用可能性】
【００１１】
近年、くん蒸薬剤の食品、穀物、飼料、嗜好品、漢方薬原料等残留規制値の見直し改定や、一般的に使用されていた臭化メチルの使用量規制があり、これまで、使用できたくん蒸剤が使用不可能になり、使用くん蒸薬剤の選択域が大きく制限されてきた。その影響もあり、リン化アルミニューム剤によるリン化水素くん蒸は、吸着性、残留性が極めて少なく、且つ、浸透性が高く殺虫能力に優れているため、使用域が拡大し、使用量も増加している。リン化アルミニューム剤くん蒸の最大の欠点は、くん蒸処理の後にくん蒸剤残渣が残ることである。一例を記せば、穀物サイロでは、穀物の搬入に合わせてリン化アルミニューム剤を投げ込み、穀物に混入させている。食糧、飼料穀物中にリン化アルミニューム剤の残渣が混入したまま、加工消費されていたのである。最近になり、リン化アルミニューム剤庫外投薬機の開発や、庫内循環投薬法等の技術開発があり、くん蒸剤残渣の穀物中への混入を回避する方向である。よって、当然くん蒸処理の後に残るくん蒸剤残渣は、すべて回収されるため多量に発生し、処理量が増大する傾向である。本発明の運搬袋２と除毒管１０、真空ポンプ１３装置を使用し、残渣運搬袋２内を真空にすることにより、且つ残留水分を気化せしめ吸引することにより、リン化アルミニューム剤と水分の反応を停止させ、リン化水素の発生を抑制することで、リン化水素が外部に漏えいせず、また運搬袋２内で爆発するようなこともなく、安全に運搬が可能である。本発明の運搬袋２は、簡単な構造を有するもので、大小多種に、製作可能であり需要に合わせて製造するため、製造コストは極めて小さく、且つ、軽量で取扱いが容易であり、運搬作業が軽減される。本発明の運搬袋２は、焼却可能な材質であり、くん蒸剤残渣を収容したまま水処理作業を行わず、直接高熱燃焼炉で処分することが可能であるため、水処理設備を必要とせず、水処理作業中のリン化水素暴露被害や、環境汚染を起こす恐れもなく、安全且つ経済的である。多量のくん蒸剤残渣を安全に、安価に運搬する技術の開発は、急務であり、本発明は、これらの問題を解決するものである。
【符号の説明】
【００１２】
１：くん蒸剤残渣、２：運搬袋、３：開閉部、４：密閉構造、５：開閉部品、６：吸引口、７：接続ホース、８：吸引弁、９：吸引管、１０：除毒管、１１：真空計、１２：圧力スイッチ、１３：真空ポンプ、１４：金網、１５：フィルター、１６：活性炭、１７：両端フランジ、１８：Oリング、１９：本体、２０：吸引口上部、２１：吸引口下部、２２：逆流防止弁、２３：空間、２４：吸引穴
【図１】
2016094202.tif 000003
【図２】
2016094202.tif 000004
【図３】
2016094202.tif 000005